(57)【要約】【課題】ハンドルを洗浄できると共に、オートクレーブ滅菌によっても変形を生じない。【解決手段】生体に接触して電圧を印加するための電極２０と、電圧の供給源である装置本体から前記電極２０までの電圧供給経路を少なくとも構成する電圧線路を備えたケーブル３０、４０と、前記電極２０を支持する部分と前記ケーブル３０、４０との接合部を、密封構造とするハンドル１１と、前記ハンドル１１内の気体を前記ハンドル１１の外における外気に連絡するための気体流路としての透通孔３７を具備する。【選択図】図３
2011019577.tif 000002
【特許請求の範囲】
【請求項１】
生体に接触して電圧を印加するための電極と、
電圧の供給源である装置本体から前記電極までの電圧供給経路を少なくとも構成する電圧線路を備えたケーブルと、
前記電極を支持する部分と前記ケーブルとの接合部を、密封構造とするハンドルと、
前記ハンドル内の気体を前記ハンドルの外における外気に連絡するための気体流路と
を具備することを特徴とする内用パドル。
【請求項２】
ケーブル内の気体流路は閉塞防止構造を有していることを特徴とする請求項１に記載の内用パドル。
【請求項３】
気体流路における外気との連絡開口部は、前記ケーブルが前記装置本体に接続される接続部に形成されていることを特徴とする請求項１または２に記載の内用パドル。
【請求項４】
ハンドルの握部は、シャフト部を中心として対称であることを特徴とする請求項１乃至３のいずれか１項に記載の内用パドル
【発明の詳細な説明】
【技術分野】
【０００１】
この発明は、患者の心臓（生体）に直接接触する電極を有する内用パドルに関するものである。
【背景技術】
【０００２】
この種の内用パドルは患者の心臓を一対の電極により挟むようにして、除細動器から電圧を印加するために用いられる。この内用パドルとして、電極側とハンドルを分離できるタイプのものが知られている。この内用パドルはハンドル部が滅菌に耐えられるように構成されている（特許文献１、特に、００２７参照）。
【０００３】
一方、電極側とハンドルが切り離しできないタイプの内用パドルも知られており、ハンドルを流水等による洗浄と滅菌をすることが求められる。しかし、電極とハンドルが密閉構造でないため、流水による洗浄では血液等が電極とハンドルの隙間などから侵入してしまうため、布等により血液等の拭取りが行われている。
【０００４】
そして、拭取後、内用パドルの滅菌が行われる。滅菌としては２気圧程度において１３０゜Ｃの高温下において１０乃至２０分程度の滅菌の後に、減圧により常圧へ導入される処理を繰り返すオートクレーブと称される処理が行われる。電極とハンドルが密閉構造とすると流水による洗浄は可能となるが、オートクレーブ滅菌を行うと密閉構造であるがため、ハンドル内部の圧力が外部圧力より高くなるため、ハンドルの外側を覆うカバーが膨張して変形してしまうという問題があった。
【先行技術文献】
【特許文献】
【０００５】
【特許文献１】特開平５−３３７１９３号公報
【発明の概要】
【発明が解決しようとする課題】
【０００６】
本発明は上記のような内用パドルが有する問題点に鑑みなされたもので、その目的は、ハンドルを流水等によって洗浄することが可能であると共に、オートクレーブ滅菌によってもカバーが膨張による変形を生じることのない、内用パドルを提供することである。
【課題を解決するための手段】
【０００７】
本発明に係る内用パドルは、生体に接触して電圧を印加するための電極と、電圧の供給源である装置本体から前記電極までの電圧供給経路を少なくとも構成する電圧線路を備えたケーブルと、前記電極を支持する部分と前記ケーブルとの接合部を、密封構造とするハンドルと、前記ハンドル内の気体を前記ハンドルの外における外気に連絡するための気体流路とを具備することを特徴とする。
【０００８】
本発明に係る内用パドルは、ケーブル内の気体流路は閉塞防止構造を有していることを特徴とする。
【０００９】
本発明に係る内用パドルにおいて、気体流路における外気との連絡開口部は、前記ケーブルが前記装置本体に接続される接続部に形成されていることを特徴とする。
【００１０】
本発明に係る内用パドルでは、ハンドルの握部は、シャフト部を中心として対称であることを特徴とする。
【発明の効果】
【００１１】
本発明に係る内用パドルによれば、生体に接触して電圧を印加するための電極と、電圧の供給源である装置本体から前記電極までの電圧供給経路を少なくとも構成する電圧線路を備えたケーブルと、前記電極を支持する部分と前記ケーブルとの接合部を、密封構造とするハンドルと、前記ハンドル内の気体を前記ハンドルの外における外気に連絡するための気体流路とを備えているので、ハンドルの内部が密封されていることから洗浄が可能であり、しかも気体流路が、オートクレーブ滅菌の際にハンドルの気体を逃がす経路として働き、オートクレーブ滅菌によってもハンドルが膨張による変形を生じること防止できる。
【００１２】
本発明に係る内用パドルによれば、ケーブル内の気体流路は閉塞防止構造を有しているので折れ曲がりにより気体流路が塞がれることはなく、ケーブルを利用してオートクレーブ滅菌の際にハンドル内の気体を逃がすことができる。
【００１３】
本発明に係る内用パドルによれば、気体流路における外気との連絡開口部が、前記ケーブルが前記装置本体に接続される接続部に形成されているので、オートクレーブ滅菌の際にハンドル内の気体を装置本体付近まで逃がして排気でき、術中において血液や各種溶液などが連絡開口部から入り込む危険を回避することができる。
【００１４】
本発明に係る内用パドルによれば、ハンドルの握部は、シャフト部を中心として対称であるので、使用者が右利きでも左利きでも扱いやすい内用パドルを提供することが可能となる。
【図面の簡単な説明】
【００１５】
【図１】本発明の実施例に係る内用パドルの使用状態を示す図。
【図２】図１の内用パドルの縦方向断面図。
【図３】図２におけるＡ−Ａ断面図。
【図４】図１の内用パドルの正面図。
【図５】図１の内用パドルの平面図。
【発明を実施するための形態】
【００１６】
以下添付図面を参照して、本発明に係る内用パドルの実施例を説明する。各図において同一の構成要素には、同一の符号を付して重複する説明を省略する。図１は、本発明の実施例に係る内用パドルの使用状態における斜視図を示し、図２は、図１の概ね縦方向を断面線とした場合の断面図を示し、図３は、図２のＡ−Ａ断面図を示す。実施例に係る内用パドルは、スイッチ付の第１のパドル１０とスイッチが付いていない第２のパドル１０Ａとが一対で用いられる。
【００１７】
第１のパドル１０と第２のパドル１０Ａとは、ハンドル１１の一端側に電極２０が設けられており、ハンドル１１の他端側からケーブル３０、４０が公知の図示しない除細動器まで接続可能に延びるものである。
【００１８】
電極２０は、シャフト部２１と、シャフト部２１の先端側に設けられた円盤状の円盤電極部２２を備えている。シャフト部２１は円盤電極部２２側へ向かって細径とされている円柱状の良導電材料により構成されおり、円盤電極部２２側に位置するシャフト部２１の一部がハンドル１１から露出している。
【００１９】
ハンドル１１は、硬質の絶縁性樹脂等により構成される内側ケース１２と、この内側ケース１２を被覆する軟質の絶縁性樹脂などの外成型材料により構成されるカバー１３とから構成されている。なお、内側ケース１２とカバー１３は、一体であり同一の素材からなる構成とすることも可能である。ハンドル１１は基本的に中空円筒形状であり、ハンドル１１におけるシャフト部２１が突出する側の端部に近い部位には、ハンドル１１の径を一周するように外方へ突出するストッパ２３ａが形成されている。ストッパ２３ａからシャフト部２１側へ向かって細径に形成されている。
【００２０】
ハンドル１１は、ストッパ２３ａからシャフト部２１とは逆側へ向かって、ほぼ等しい径の中空円筒形状の手に持って支持し易い形状をなす握部２３を有する。この握部２３から更に端部へ向かって湾曲して絞られるように形成され、ケーブル３０、４０がハンドル１１内に入り込む透孔２４を有するスリーブ２５が形成されている。
【００２１】
第１のパドル１０にあっては、スリーブ２５に近接した握部２３の端部には、カバー１３によって凸形状のキートップカバー部２８が形成されている。キートップカバー部２８からストッパ２３ａ側へ連続する所定長の部位には、内側ケース１２が存在せず、カバー１３に接触する状態のスイッチ筐体６０が配置され、スイッチ筐体６０のキーが上記キートップカバー部２８に当接している。
【００２２】
図４、図５に示すように、ハンドル１１の握部２３及びストッパ２３ａは、シャフト部２１における長さ方向の軸を中心として左右対称に形成されている。図４、図５には代表例として第１のパドル１０を示しているが、スイッチが付いていない第２のパドル１０Ａについても同様に、シャフト部２１における長さ方向の軸を中心とした左右対称の構造となっている。このため、使用者が右利きでも左利きでも、利き手に第１のパドル１０を持ってスイッチを操作することができ扱いやすいという特徴を有する。
【００２３】
図３に示すように、ケーブル３０には、高圧線３１と二本の信号線３２、３３が配線されており、ケーブル４０には高圧線４１と二本のダミー線４２、４３が配線されている。ダミー線４２、４３の芯線部分は、ケプラーと称される極細の繊維芯により構成されている。
【００２４】
高圧線３１、４１及び信号線３２、３３の芯線、更に、ダミー線４２、４３の芯線の外側は絶縁体３４により被覆されている。ケーブル３０、４０の最外郭は、シールド材３５で被覆されている。ケーブル３０、４０におけるシールド材３５の内壁部には、ケーブル３０、４０の長さ方向に向かって連通する適宜な断面形状を有する複数の透通孔３７が形成されている。この複数の透通孔３７は、ハンドル１１の内側ケース１２内部に存在する気体をハンドル１１の外における外気に連絡するための気体流路を構成する。また、透通孔３７は複数あることにより、ケーブル３０、４０が折れ曲がっても透通孔３７が閉塞することのない閉塞防止構造となっている。この実施例では、シールド材３５と絶縁体３４の間に生じている空隙Sについても、ハンドル１１の内側ケース１２内部に存在する気体をハンドル１１の外における外気に連絡するための気体流路として機能する。
【００２５】
ケーブル３０の高圧線３１は、ハンドル１１内を配線されてシャフト部２１の基部に形成されたネジ止部２１ａにネジ２７によって結合されている。ケーブル３０の二本の信号線３２、３３は、ハンドル１１内を配線されてスイッチ筐体６０のスイッチ接点に繋がっている端子Ｔ１、Ｔ２に接続されている。また、ケーブル４０の高圧線４１は、ハンドル１１内を配線されてシャフト部２１の基部に形成されたネジ止部２１ａにネジ２７によって結合されている。
【００２６】
カバーにおけるケーブル３０、４０を被覆するスリーブ２５の部分７０及びシャフト部２１を支持する部分８０は、それぞれ密着により水密に構成され、ハンドル１１は、電極２０を支持する部分８０と上記ケーブル３０、４０との接合部である部分７０を融着により密封構造にて内蔵するケース部を構成している。
【００２７】
ケーブル３０、４０の他端側には電圧の供給源である装置本体を構成する除細動器のパドル接続コネクタに接続するための本体−パドルコネクタ５０に接続されている。このように、気体流路を構成する複数の透通孔３７における外気との連絡開口部が、装置本体である除細動器におけるケーブル３０、４０との接続部に形成されている。
【００２８】
以上の構成に係る内用パドルは次の通りに用いられる。本体−パドルコネクタ５０を除細動器のパドル接続コネクタに接続する。除細動器の電源を投入し、心電図の誘導を確認し、非同期除細動モードを確認する。第１のパドル１０及び第２のパドル１０Ａを支持して円盤電極部２２、２２により心臓を挟み、出力エネルギーの設定及びエキルギー充電を行い、キートップカバー部２８を押圧して通電を行う。このとき、使用者の利き手に第１のパドル１０を持ってスイッチを操作することができるので扱いやすい。使用後には、電源をオフとして、上記と逆の手順でパドルを外す。
【００２９】
上記の後に洗浄及びオートクレーブ滅菌が行われる。ここで、前述の通り、カバー１３におけるケーブル３０、４０を被覆するスリーブ２５の部分７０及びシャフト部２１を被覆する部分８０は、それぞれ水密に構成されているので、洗浄に係る液体や血液がハンドル１１内部に侵入する虞がなく、十分な洗浄を行うことができる。
【００３０】
また、オートクレーブ滅菌の際にハンドル１１内部が高圧となるが、ハンドル１１の内側ケース１２の内部に存在する気体は、複数の透通孔３７やシールド材３５と絶縁体３４の間に生じている空隙Sを介して本体−パドルコネクタ５０から排気される。しかも、透通孔３７が複数ある閉塞防止構造であるため、このオートクレーブ滅菌の際にケーブル３０、４０が折れ曲って上記気体の通路を塞ぐことがなく、カバー１３の変形を生じさせることはない。
【００３１】
なお、本実施例では、シールド材３５に気体流路としての透通孔３７を形成したが、ハンドル１１の内側ケース１２の内部に存在する気体を上記ハンドル１１の外における外気に連絡するための気体流路であれば、ケーブル３０、４０内にチューブを設けるなど、適宜な構成を採用することができる。
【符号の説明】
【００３２】
１０、１０Ａ  パドル
１１  ハンドル
１２  内側ケース
１３  カバー
２０  電極
２１  シャフト部
２２  円盤電極部
２３  握部
３０、４０  ケーブル
３１、４１  高圧線
３７  透通孔
５０  本体−パドルコネクタ
６０  スイッチ筐体
【図１】
2011019577.tif 000003
【図２】
2011019577.tif 000004
【図３】
2011019577.tif 000005
【図４】
2011019577.tif 000006
【図５】
2011019577.tif 000007